(57)【要約】      （修正有）【課題】釣り針のかえしの特徴を利用し、包帯等の巻き終りを固定するクイック面ファスナーを提供する。【解決手段】薄いビニールのシートの上に縦方向に釣り糸より太い大きさの畝ａを多数つけ、その畝ａに斜めの切込みｂを多数入れ、そのシートを布または不織布ｃに接着する。使用する時は必要な大きさにカットしてサポーター等ｄの巻き終わり部分に縫付け使用する。サポーター等を固定する時は布にかえしが刺さるようにし、外す時はかえしを布から抜くようにすると布を傷めない。また包帯のように使用する都度長さをカットして巻くものは、表裏両面にかえしがあり２枚の布を同時にひっかけ固定するものがよく、布または不織布の表裏両面に畝に切り込みを入れたシートを接着し、必要な大きさにカットしてそれを包帯の巻き終わりの布の間に挟み、包帯の上になる部分をかえしに刺さるようにし上と下の包帯を同時にひっかけ固定し、外す時は包帯からかえしを抜くようにするとよい。【選択図】図１
0003159131.tif 000002
【実用新案登録請求の範囲】
【請求項１】
包帯・サポーター等の巻き終わりを固定するためのもので、薄いビニールのシートの上に縦方向に、ビニール製の釣り糸より太い大きさの畝を等間隔に多数つけ、その畝に斜めの切込みを等間隔に多数入れ、その切込みの鋭利な先端がサポーター等の布にひっかかるようにしたシートを布または不織布に接着して、サポーター等の巻き終わり部分に必要な大きさにカットし縫い付けると、巻き終わりを固定することができる、ビニール製の釣り糸より太い大きさの多数の畝に斜めの切込みを多数入れ、その切込みの鋭利な先端で布をひっかけ固定するものをシート状にしたことを特徴とする片面ファスナー。
【請求項２】
包帯・サポーター等の巻き終わりを固定するためのもので、薄いビニールのシートの上に縦方向に、ビニール製の釣り糸より太い大きさの畝を等間隔に多数つけ、その畝に斜めの切込みを等間隔に多数入れ、その切込みの鋭利な先端が包帯等の布にひっかかるようにしたシートを布または不織布の表裏両面に接着し、包帯等の巻き終わりに必要な大きさにカットして布の間に挟むと包帯等の布がひっかかり固定することができる、ビニール製の釣り糸より太い大きさの多数の畝に斜めの切込みを多数入れ、その切込みの鋭利な先端で布をひっかけ固定するものをシート状にし、表裏両面に接着したことを特徴とする両面ファスナー。
【考案の詳細な説明】
【技術分野】
【０００１】包帯・サポーター等の巻き終わりを固定するのに、釣り針のかえしのひっかかりをヒントに、ビニール製の釣り糸より太い大きさのものに斜めに切込みを入れ、その切込みの上に布を置き鋭利な先端に逆らうように布を動かすと、その先端に布がひっかかり、反対に布から鋭利な先端を抜くように動かすと、布がひっかかることなくきれいに離すことができる。この釣り針のかえしの特徴を利用し包帯等の巻き終わりの固定をするには、このかえしを多数作る必要があり、ビニール製のシートに等間隔に釣り糸より太い大きさの畝を多数つけ、斜めの切込みを多数入れることにより布をひっかける箇所が増え強度が増す。
【背景技術】
【０００２】釣り針のかえしは大きな魚をも逃さない強力なもので、材質をビニールに変えてもかえしの効果は強力で、これを多数作ることにより接合部分の密着度が増す。
【考案の開示】
【考案が解決しようとする課題】
【０００３】包帯とかサポーターのように、巻く手加減によって巻き終わりの位置がその都度違い、通常の面ファスナーのようにオスメス・付ける側付けられる側２面あるものは合わせにくいので、包帯・サポーター等には通常の面ファスナーは利用しにくく、巻き終わりの固定が難しい。
【課題を解決するための手段】
【０００４】包帯とかサポーターのように、巻く手加減によって巻き終わりの位置がその都度かわるものはどこで終わっても固定できるようにしたらよいので、巻き終わりの部分に直接接合し固定できるものを付ければ巻き終わりがどこになっても問題ない。布を直接接合固定するには、釣り針のかえしのひっかかりを参考にして、包帯・サポーター等の布にひっかけるための釣り針のかえし状のものを多数作れば解決する。それを作るにはビニール製の釣り糸より太い大きさのものに斜めに切込みを多数入れると、その鋭利な先端に布がひっかかり、その鋭利な先端を多数作れば強力な固定力になる。そのかえしを多数作るためには、薄いビニールのシートの上に縦方向に釣り糸より太い大きさの畝を多数つけ、その畝に斜めの切込みを多数入れ、そのシートを布または不織布に接着する。使用する時は必要な大きさにカットしてサポーター等の巻き終わり部分に縫付け使用する。サポーター等を固定する時は布にかえしが刺さるようにし、外す時はかえしを布から抜くようにすると布を傷めない。また包帯のように使用する都度長さをカットして巻くものは、表裏両面にかえしがあり２枚の布を同時にひっかけ固定するものがよく、布または不織布の表裏両面に畝に切り込みを入れたシートを接着し、必要な大きさにカットしてそれを包帯の巻き終わりの布の間に挟み、包帯の上になる部分をかえしに刺さるようにし上と下の包帯を同時にひっかけ固定し、外す時は包帯からかえしを抜くようにするとよい。
【考案の効果】
【０００５】この釣り針のかえしを参考にした面ファスナーは、受け側がいらないので直接包帯やサポーターの布に当てるだけでかえしのひっかかり効果があり、固定する部分がかさばらないし、外す時もかえしを抜くようにすればよいのでバリバリという音も抵抗もない。
【考案を実施するための最良の形態】
【０００６】畝への切込みの角度は、鋭利過ぎるとかえしが薄くなり使用頻度により先端が反り返り布の繊維が絡みつく恐れがあるので、あまり鋭利にならないよう注意が必要。切込みの角度を薄くしなくても布はひっかかるし鈍角のほうが丈夫である。また畝のピッチ・高さ・切込みの深さは、使用する布の状態により変えるとよりよい。またこのクイック面ファスナーはやわらかい布・いろいろな曲面に使用できるので、台にする不織布等もやわらかいものにするとよい。
【実施例】
【０００７】包帯・サポーターは伸縮性があるので、ひっかけ効果はがちっと感じる。
【図面の簡単な説明】
【０００８】
【図１】  １、包帯・サポーターの巻き終わりにクイック面ファスナーを置いた図  ２、クイック面ファスナーが布にひっかかり固定される図  ３、包帯・サポーターを外す時の方向の図
【図２】  クイック面ファスナーの平面図・側面図・断面図
【符号の説明】
【０００９】ａ    シートに付けた畝
ｂ    畝に入れた切込み
ｃ    接着する布または不織布
ｄ    包帯・サポーター等の布
【図１】
0003159131.tif 000003
【図２】
0003159131.tif 000004
【手続補正書】
【提出日】平成22年2月5日(2010.2.5)
【手続補正１】
【補正対象書類名】実用新案登録請求の範囲
【補正対象項目名】全文
【補正方法】変更
【補正の内容】
【実用新案登録請求の範囲】
【請求項１】
包帯やサポーターのように巻き終わりが常に一定でないもの、また面ファスナーを使って固定するのに固定箇所が常に一定にならないものを固定するためのもので、受け側ファスナーを必要とせずどの位置でも固定できる面ファスナーで、薄いビニールシートの上に縦方向にビニール製の釣り糸より太い大きさの畝を等間隔に多数付け、その畝に斜めの切込みを等間隔に多数入れ、その切込みの鋭利な先端が釣り針のかえしの働きで布にひっかかるようにしたシートを、布または不織布に接着して固定したい布の箇所に必要な大きさにカットし縫い付けると、固定箇所が一定でなく受け側面ファスナーがなくても直接布に固定することができる、ビニール製の釣り糸より太い大きさの多数の畝に斜めの切込みを多数入れ、その切込みの鋭利な先端で布をひっかけ固定するものをシート状にしたことを特徴とする、片面だけの面ファスナー。
【請求項２】
包帯やサポーターのように巻き終わりが常に一定でないもの、また面ファスナーを使って固定するのに固定箇所が常に一定にならないものを固定するためのもので、受け側ファスナーを必要とせずどの位置でも固定できる面ファスナーで、薄いビニールシートの上に縦方向にビニール製の釣り糸より太い大きさの畝を等間隔に多数付け、その畝に斜めの切込みを等間隔に多数入れ、その切込みの鋭利な先端が釣り針のかえしの働きで布にひっかかるようにしたシートを、布または不織布の表裏の両面に接着し、固定したい布の箇所に必要な大きさにカットして布と布の間に挟むと、シートの表側裏側それぞれの面の切込みに接する布がひっかかり、二枚の布を固定することができる、ビニール製の釣り糸より太い大きさの多数の畝に斜めの切込みを多数入れ、その切込みの鋭利な先端で布をひっかけ固定するものを表裏両面に接着しシート状にしたことを特徴とする、両面固定できる面ファスナー。